(57)【要約】【課題】従来の温風暖房機は、送風ファンユニットのファンを容易に取外して清掃することができないため、安全性や衛生面でやや問題点があった。【解決手段】送風ファンユニット２の振動防止の役目をする部品がバラバラにならないように構成したファンアセンブリ５を締めナット１８で固定する。また、前記ファンアッセンブリ５の第１のスペーサ９と嵌合するモータ４の駆動軸４ａに３面以上のカット面４ｂを設け、ファンアッセンブリ５が容易にモータ４の駆動軸４ａに嵌合できるように構成した。さらに、ファンアッセンブリ５の第１のスペーサ９にモータ４の駆動軸４ａが挿入しやすいように、入方向に縮径するテーパ９ｄを設けた。また、第１のスペーサ９の嵌合穴９ｃのＤ形断面部分の端部にはモータ４の駆動軸４ａ先端を案内する案内面９ｅを設けている。【選択図】　　　　図３
2004077036.tif 000002
【特許請求の範囲】
【請求項１】
本体に設けられた空気取入口から本体内に取り入れた空気を加熱源により温風に変換して温風吹出口より吹き出すようにした温風暖房機において、前記空気取入口に取り付けられ、保護ガード、モータ、ファンアッセンブリで構成される送風ファンユニットを備え、前記ファンアッセンブリは、モータの駆動軸に嵌合する第１のスペーサ、第１の防振ゴム、ファン、第２の防振ゴム、ワッシャ、第２のスペーサで構成され、かつ前記第１のスペーサと前記第２のスペーサとで前記第１の防振ゴム、ファン、第２の防振ゴム、ワッシャを挟み込んで一体化したことを特徴とする温風暖房機。
【請求項２】
前記第１のスペーサが嵌合するモータの駆動軸に、外周円弧の一部を残して３面以上のカット面を設けたことを特徴とする請求項１記載の温風暖房機。
【請求項３】
前記第１のスペーサに設けた嵌合穴に、挿入方向に縮径するテーパー面を設けたことを特徴とする請求項２記載の温風暖房機。
【請求項４】
前記第１のスペーサに設けた嵌合穴のＤ形断面部分の端部に、モータの駆動軸先端を案内する案内面を設けことを特徴とする請求項３記載の温風暖房機。
【発明の詳細な説明】
【０００１】
【発明の属する技術分野】
本発明はファンの清掃を容易に行えるようにした温風暖房機に関するものである。
【０００２】
【従来の技術】
従来、特開平２０００−３５６４１２号公報に示されるように、温風暖房機の空気取入口に送風ファンユニットを着脱自在に取り付けて、ファンの清掃を容易に行えるようにしたものがある。
【０００３】
図１０は上記従来の温風暖房機における送風ファンユニットの詳細構成を示す組立て状態の断面図で、図１１はその送風ファンユニットの部品分解図である。図において、４ａはＤカット面を有するモータ４の駆動軸、９はスペーサ、１０，１３は防振ゴム、１１はファン、１９，２１はワッシャー、２０は緩み止め用のばね座金、２２は各部品をモータ軸４ａに固定する締めナットである。
【０００４】
温風暖房機の送風ファンユニットは上記のような構成であり、温風暖房機の本体から送風ファンユニットを取り外して、本体内やファン１１の清掃が行える。また、送風ファンユニットからファン１１を取り外す場合には、締めナット２２を外すことで、図１１に示すように、部品をバラバラに分解することができ、モータ４の駆動軸４ａから取り外すことができる。
【０００５】
【発明が解決しようとする課題】
しかしながら、上記従来の温風暖房機では、保護ガード（図示せず）の外側とファン１１の内側の清掃および本体（図示せず）内部の清掃は、掃除機等を利用して容易に清掃は可能であるが、保護ガードの内側とファン１１の外側を清掃しようとした時は、ファン１１をモータ４の駆動軸４ａに固定している締めナット２２を、工具を使用して外す必要があった。
また、締めナット２２を外すと、部品が全てバラバラに取れてしまう構造となっていた。また、部品点数が多いため、清掃後、再組込み時に、誤組込みや部品の紛失をまねき、現実にはユーザーがファン１１の外側を清掃することはできないという問題があった。また、従来のモータ４の駆動軸４ａにはカットが１面しか無かったため、モータ４の駆動軸４ａに対するスペーサ９、防振ゴム１３、ワッシャ１９の位置合わせも難しく、時間がかかるという問題があった。
【０００６】
本発明は上記のような問題点を解決する為になされたもので、送風ファンユニットの構成部品の一部を一体化することで、清掃後の再組込みが容易にでき、製品の安全と衛生面に配慮した温風暖房機を提供することを目的とする。
【０００７】
【課題を解決するための手段】
本発明に係る温風暖房機は、本体に設けられた空気取入口から本体内に取り入れた空気を、加熱源により温風に変換して温風吹出口より吹き出すようにした温風暖房機において、前記空気取入口に取り付けられ、保護ガード、モータ、ファンを主体とするファンアッセンブリーからなる送風ファンユニットを備え、前記ファンアッセンブリーは、モータの駆動軸と嵌合する第１のスペーサ、第１の防振ゴム、プロペラファン、第２の防振ゴム、ワッシャ、第２のスペーサ等で構成され、前記第１のスペーサと第２のスペーサとで前記第１の防振ゴム、プロペラファン、第２の防振ゴム、ワッシャを挟み込んで一体化したものである。
【０００８】
また、前記第１のスペーサが嵌合するモータの駆動軸に、外周円弧の一部を残して３面以上のカット面を設けたものである。
【０００９】
また、前記第１のスペーサに設けた嵌合穴に、挿入方向に縮径するテーパー面を設けたものである。
【００１０】
また、前記第１のスペーサに設けた嵌合穴のＤ形断面部分の端部に、モータの駆動軸先端を案内する案内面を設けたものである。
【００１１】
【発明の実施の形態】
実施形態１．
図１は本発明の実施の形態１における温風暖房機の送風ファンユニット部分の取り付け構造を示す説明図、図２は図１の送風ファンユニットの全構成部品を示す部品分解図、図３は図２の組立て状態の断面図、図４はモータの駆動軸の斜視図、図５は図４のＡ方向視図、図６は第１のスペーサの斜視図、図７は図６のＢ方向視図、図８は図７のＣ−Ｃ線断面図、図９は図８のＤ−Ｄ線断面図である。
【００１２】
図において、１は温風暖房機の本体、２は送風ファンユニットであり、保護ガード３と、この保護ガード３に取付けられたモータ４と、このモータ４の駆動軸４ａにウェーブワッシャ１７と締めナット１８で固定されたファンアッセンブリ５で構成されている。
【００１３】
このファンアッセンブリ５は、図２および図３に示すように、先端に雄ねじ９ａを有し外周面をＤカットしたボス９ｂと嵌合穴９ｃを有する第１のスペーサ９、Ｄカット状の嵌合穴１０ａを有する第１の防振ゴム１０、Ｄカット状の嵌合穴１１ａを有するファンボス１２を備えたファン１１、第２の防振ゴム１３、皿状に加工されたワッシャ１４、一定の軸方向に力を発生させるための第１のウェーブワッシャ１５、雌ねじ１６ａを有する第２のスペーサ１６からなり、図３に示すように、第１のスペーサ９のボス９ｂの雄ねじ９ａに第２のスペーサ１６の雌ねじ１６ａが螺合させることで、第１の防振ゴム１０、ファン１１、第２の防振ゴム１３、ワッシャ１４、第１のウェーブワッシャ１５を第１のスペーサ９と第２のスペーサ６間に挟み込んで、一体化される。
【００１４】
２３は温風暖房機の本体１背面に固定される開閉支持板、２４は保護ガード３と開閉支持板２３を結合するシャフトである。２５は開閉支持板２３に支持された保護ガード３の反対側を本体１に固定しているツマミねじである。
【００１５】
また、図４に示すように、前記第１のスペーサ９の嵌合穴９ｃが嵌合するモータ４の駆動軸４ａには、外周円弧の一部を残して３面のカットを設けている。また、前記第１のスペーサ９の嵌合穴９ｃは、挿入方向に縮径するテーパ面９ｄを入口部分と中ほどに設けられ、この入口部分と中ほどに形成されたテーパ面９ｄの間に位置する部位の断面形状がＤ形に形成されている。さらに、前記モータ４の駆動軸４ａに設けられた３面のカット面４ｂと第１のスペーサ９の嵌合穴９ｃとが簡単に位置合いするように、第１のスペーサ９の嵌合穴９ｃのＤ形断面部分の端部にはモータ４の駆動軸４ａ先端を案内する案内面９ｅを設けている。
【００１６】
上記のように構成された実施の形態１において、ツマミねじ２５を緩めて外し、送風ファンユニット２をシャフト２４を支点として開閉した後、図１のように、ファンアッセンブリ５固定用の締めナット１８を緩めて外し、ファンアッセンブリ５を取外すことで、保護ガード３の内側やファン１１の外側を容易に清掃することができる。また、清掃後、送風ファンユニット２を元の状態に再組込む場合は、ファンアッセンブリ５、第２のウェーブワッシャ１７、締めナット１８の３点をモータ４の駆動軸４ａに取付けるだけでよく、部品点数が少ないので、組付けに時間がかからない。しかも、前記第１のスペーサ９の嵌合穴９ｃが嵌合するモータ４の駆動軸４ａには、その外周円弧の一部を残して３面以上のカット面を設けてあるので、ファンアッセンブリ５を容易にモータ４の駆動軸４ａに位置合わせができる。また、前記第１のスペーサ９の嵌合穴９ｃは、挿入方向に縮径するテーパ面９ｄを入口部分と中ほどに２箇所設けているので、モータ４の駆動軸４ａの挿入もしやすい。さらに、第１のスペーサ９の嵌合穴９ｃのＤ形断面部分の端部にはモータ４の駆動軸４ａ先端を案内する案内面９ｅを設けてあるので、前記モータ４の駆動軸４ａに設けられた３面のカット面４ｂと第１のスペーサ９の嵌合穴９ｃが簡単に位置合いする。
【００１７】
なお、前記締めナット１８は、工具を用いずに、手またはコイン等を使用して簡単に外せるナットにすれば、一層効果的である。
【００１８】
【発明の効果】
以上のように、請求項１の発明によれば、使用者がファンアッセンブリの取付け、取外しが容易となり、温風暖房機の内部、ファン及び、保護ガードの隅々まで清掃ができ、衛生面に配慮した温風暖房機を得られるという効果がある。又、清掃後、容易に元の状態に再組込みができるという効果が得られる。
【００１９】
また、請求項２の発明によれば、ファンアッセンブリを容易にモータの駆動軸に嵌合させることができ、請求項１と同様に清掃後、容易に元の状態に再組込みができるという効果が得られる。
【００２０】
さらに、請求項３の発明によれば、ファンアッセンブリを容易にモータの駆動軸に嵌合させることができ、請求項１、請求項２と同様に清掃後、容易に元の状態に再組込みができるという効果が得られる。
【００２１】
さらに、請求項４の発明によれば、ファンアッセンブリを容易にモータの駆動軸に嵌合させることができ、請求項１、請求項２、請求項３、と同様に清掃後、容易に元の状態に再組込みができるという効果が得られる。
【図面の簡単な説明】
【図１】本発明の実施の形態１における温風暖房機の送風ファンユニット部分の取付け構造を示す説明図である。
【図２】図１の送風ファンユニットの全構成部品を示す分解図である。
【図３】図２の組立て状態の断面図である。
【図４】モータの駆動軸の斜視図である。
【図５】図４のＡ方向視図である。
【図６】第１のスペーサの斜視図である。
【図７】図６のＢ方向視図である。
【図８】図７のＣ−Ｃ線断面図である。
【図９】図８のＤ−Ｄ線断面図である。
【図１０】従来の温風暖房機における送風ファンユニットの詳細構造を示す組立て状態の断面図である。
【図１１】従来の温風暖房機における送風ファンユニットの部品分解図である。
【符号の説明】
１　　温風暖房機の本体、２　　送風ファンユニット、３　　保護ガード、４　　モータ、４ａ　駆動軸、４ｂ　駆動軸の３面カット面、９　第１のスペーサ、９ａ　雄ねじ、９ｂ　ボス、９ｃ　嵌合穴、９ｄ　テーパ面、　　１０　第１の防振ゴム、１１　ファン、１３　第２の防振ゴム、　１４　皿状ワッシャー、１５　第１のウェーブワッシャ、１６　第２のスペーサ、１６ａ　雌ねじ、１７　第２のウェーブワッシャ、１８　締めナット。
【図１】
2004077036.tif 000003
【図２】
2004077036.tif 000004
【図３】
2004077036.tif 000005
【図４】
2004077036.tif 000006
【図５】
2004077036.tif 000007
【図６】
2004077036.tif 000008
【図７】
2004077036.tif 000009
【図８】
2004077036.tif 000010
【図９】
2004077036.tif 000011
【図１０】
2004077036.tif 000012
【図１１】
2004077036.tif 000013